(57)【要約】【課題】着用者の作業性の低下を防止する冷却衣服を提供する。【解決手段】冷却衣服１は、外側から空気を取り込む空気取込口、および内側に冷却風を送出する空気送出口を有するファン７が装着される取付孔６が、胴部３の背面に形成されたものであり、頭部を覆い、複数のメッシュ部材１０が設けられたフード部４を備え、冷却風は、メッシュ部材１０を介して、フード部４の内側から外側に排出されることを特徴する冷却衣服。【選択図】図３
2019119939.tif 000002
【特許請求の範囲】
【請求項１】
外側から空気を取り込む空気取込口、および内側に冷却風を送出する空気送出口を有する風発生手段が装着される取付孔が、胴部の背面に形成された冷却衣服において、
頭部を覆い、冷却風排出部が設けられたフード部を備え、
前記冷却風は、前記冷却風排出部を介して、前記フード部の内側から外側に排出される、
ことを特徴する冷却衣服。
【請求項２】
前記冷却風排出部が、メッシュ状である、
ことを特徴とする請求項１に記載の冷却衣服。
【請求項３】
前記冷却風排出部が、耳部に設けられている、
ことを特徴とする請求項１又は請求項２に記載の冷却衣服。
【請求項４】
前記胴部から前記フード部にかけて形成された折り畳み部を備え、
この折り畳み部は、前記冷却風によって外側に拡がり、前記冷却風を前記フード部に流入させる、
ことを特徴とする請求項１から請求項３の何れか１項に記載の冷却衣服。
【発明の詳細な説明】
【技術分野】
【０００１】
本発明は、身体を冷却する冷却衣服に関するものである。
【背景技術】
【０００２】
鉄工所や夏の屋外の工事現場のような、高温環境下で作業する場合、体温の上昇を抑制することが必要となる。
しかし、このような環境下では、安全性や機能性の面から、生地が厚い衣服が着用されている。高温環境下で長時間の作業を行う場合、体外に熱を充分に放出することができないため、過度の体温上昇を引き起こして熱中症に陥るおそれがある。
高温環境下で作業する時に着用する衣服として、従来から、冷却衣服が使用されている。例えば、ファンによって風を発生させる風発生装置を備えた冷却衣服が開示されている（特許文献１）。また、ヘルメット着用時に、ヘルメットに接続する略矩形状の風道フード部を襟後方に備えた冷却衣服が開示されている。
【０００３】
特許文献２の冷却衣服は、ファンを取り付けて冷却衣服内に空気を送風し、外部と内部とを連通するように後身頃の下方の左右に設けられたファン取付用孔と、下方端部において襟の後方裏面側に配設されており、上方端部においてヘルメットに接続される略矩形の風道フードとを備えている。この風道フードは、例えば、面ファスナによってヘルメットの後方部と接続され、頭部の下半分を覆う。この冷却衣服は、風道フードをヘルメットと接続することにより、首元から頭部まで空気を送ることができ、従来の冷却衣服よりも冷却効果を向上させることができる。
【先行技術文献】
【特許文献】
【０００４】
【特許文献１】特許第５９５８９２３号公報
【特許文献２】特許第６１９１０２８号公報
【発明の概要】
【発明が解決しようとする課題】
【０００５】
引用文献２の冷却衣服では、冷却風は、風道フードの側端部の全域から排出される。そのため、冷却風が目の付近から排出されると、目が乾きやすくなり、着用者の作業性が低下するおそれがある。また、着用者の体勢によっては、冷却風が不均一に排出されるため、着用者に違和感を生じさせる。
さらに、引用文献２の冷却衣服において、風道フードは、ヘルメットと面ファスナで接続されているため、例えば、冷却衣服が何かに引っかかった場合、風道フードはヘルメットから外れてしまい、風道フードの役割を果たせなくなるおそれがある。そして、この場合、再度風道フードとヘルメットを接続するための手間がかかり、着用者の作業性が低下する。
【０００６】
そこで、本発明は、着用者の作業性の低下を防止する冷却衣服を提供することを目的とする。
【課題を解決するための手段】
【０００７】
本発明の冷却衣服は、外側から空気を取り込む空気取込口、および内側に冷却風を送出する空気送出口を有する風発生手段が装着される取付孔が、胴部の背面に形成された冷却衣服において、頭部を覆い、冷却風排出部が設けられたフード部を備え、冷却風は、冷却風排出部を介して、フード部の内側から外側に排出されることを特徴する。
【０００８】
本発明の冷却衣服は、冷却風排出部がメッシュ状であることを特徴とする。
【０００９】
本発明の冷却衣服は、冷却風排出部が耳部分に設けられていることを特徴とする。
【００１０】
本発明の冷却衣服は、胴部からフード部にかけて形成された折り畳み部を備え、この折り畳み部は、冷却風によって外側に拡がり、冷却風をフード部に流入させることを特徴とする。
【発明の効果】
【００１１】
本発明の冷却衣服は、フード部を備えるものであり、このフード部には冷却風排出部が設けられている。フード部に冷却風排出部を設けることで、フード部と顔との間から排出される冷却風の風量を少なくでき、着用者の目が乾きやすくなることや違和感を低減させることができるため、着用者の作業性の低下を防止できる。
【００１２】
本発明の冷却衣服は、冷却風排出部を耳部分に設けることが好ましい。耳部分に冷却風排出部を設けることで、冷却衣服の外側の音を聞き取りやすくなり、騒音や機械音が大きい場所で使用した場合でも、作業者同士の声や物音等を聞き取りやくなり、着用者の作業性が向上する。
【００１３】
本発明の冷却衣服は、胴部からフード部にかけて、冷却風によって拡がる折り畳み部を備えていることが好ましい。冷却風によって折り畳み部が拡がることで、フード部に冷却風が流入しやすくなり、着用者の頭部を効率的に冷却できる。
【図面の簡単な説明】
【００１４】
【図１】本発明の第一実施形態に係る冷却衣服の正面図である。
【図２】本発明の第一実施形態に係る冷却衣服を示す図である。（ａ）背面図、（ｂ）（ａ）のＡ−Ａ断面図
【図３】本発明の第一実施形態に係る冷却衣服の使用状態を示す背面斜視図である。
【図４】本発明の第一実施形態に係る冷却衣服の使用状態を示す正面斜視図である。
【図５】本発明の第二実施形態に係る冷却衣服の背面図である。
【図６】本発明の第二実施形態に係る冷却衣服の冷却風排出機構の概略拡大図である。
【図７】本発明の第二実施形態に係る冷却衣服の冷却風排出機構の概略拡大図である。
【図８】本発明の第二実施形態に係る冷却衣服の冷却風排出機構の概略断面図である。
【図９】本発明の第二実施形態に係る冷却衣服における冷却風の流れを説明するための図である。
【図１０】本発明の第二実施形態に係る冷却衣服の冷却風排出機構の他の例を示す図である。
【図１１】本発明の第二実施形態に係る冷却衣服の冷却風排出機構の他の例を示す図である。
【発明を実施するための形態】
【００１５】
［第一実施形態］
第一実施形態に係る冷却衣服について、図１から図４を参照し、説明する。
冷却衣服１は、図１に示すように、左右に袖部２が縫合された胴部３と、胴部３の首元に縫合されたフード部４とを備えている。そして、図２（ａ）に示すように、胴部３の肩部分からフード部４の背面にかけて、折り畳み部としての一対のボックスプリーツ５を備えている。
この冷却衣服１は、使用者が直接着用し、または下着を着用した上から着用する。
なお、図面上、裾口幅方向を幅方向Ｘ、着丈方向を高さ方向Ｙとする。
【００１６】
［胴部３］
胴部３の背面の腰部分には、ファン取付孔６が２つ形成されている。ファン取付孔６は、幅方向Ｘにおいて胴体部３を２等分する中心線Ｌを対称軸として、線対称の位置に形成されている。
ファン取付孔６には、図３に示すように、ファン７が取り付けられる。ファン７は、空気取込口、および空気送出口を有している。ファン７を可動させると、冷却衣服１の外側から空気取込口を介して空気が取り込まれ、空気排出口を介して内側に空気（以下、冷却風と記す。）が送出される。冷却風は、冷却衣服１の胴体部３や袖部２と着用者８の身体との間に形成される通路９を通って、首元や袖元に流れる。冷却風が通路９を通って、外側に排出されることで、着用者８の身体は冷却される。
【００１７】
［フード部４］
フード部４は、胴体部３と同じ素材であり、着用者８の頭部を覆うサイズに設計されている。このフード部４には、着用者８の左右の耳に対応する部分（以下、耳部分と記す。）に冷却風排出部としてのメッシュ部材１０が設けられている。
メッシュ部材１０は、多角形状であり、図４に示すように、耳全体を覆うサイズに設計されている。メッシュ部材１０は、耳部分からフード部４の縁部４Ａ（開口部）にかけて設けられている。
【００１８】
［ボックスプリーツ５］
ボックスプリーツ５は、ヒダ山が幅方向Ｘの外側に折られ、裏のヒダ山の折り目が突合せになっている。ボックスプリーツ５は、幅方向Ｘにおいて、取付け孔３よりも内側に形成され、高さ方向Ｙに、直線状に形成され、互いに略平行に形成されている（図２（ａ））。また、ボックスプリーツ５間には、図２（ｂ）に示すように、流路５Ａが形成されている。この流路５Ａは、流路９と繋がっている。冷却風によって流路９が加圧状態になると、ボックスプリーツ５は外側に拡がり、流路５Ａの体積が大きくなる。
【００１９】
本実施形態の冷却衣服１の作用効果について、説明する。
本実施形態の冷却衣服１は、着用者８の頭部をフード部４で覆うように着用され、メッシュ部材１０は、着用者の耳部全体を覆う（図４）。ファン７を可動させると、ファン７から送出された冷却風は、通路８を通って、首元や袖口に流れる。また、ボックスプリーツ５の流路５Ａは、冷却風の風圧により拡がる。そして、流路５Ａ及び流路９を通過した冷却風は、フード部４の内部に流れる。フード部４の内部に送出された冷却風は、メッシュ部材１０のメッシュ孔及び縁部４Ａと顔との間に生じる隙間から外側に排出される。
【００２０】
本実施形態の係る冷却衣服１では、冷却風がフード部４の内部に流れ、外側に排出されるため、着用者８の身体に加え、頭部も冷却することができる。
また、フード部４に流れる冷却風は、一部がメッシュ部１０から排出される。このメッシュ部材１０は耳部分に設けられているため、メッシュ部材１０から排出された冷却風は、着用者８の顔に衝突せずに外側に排出される。冷却風が着用者８の顔に衝突すると、着用者８には違和感が生じる。特に、冷却風が目に直接当たると、目が乾きやすくなったり、違和感が生じ、着用者８が作業に集中できないおそれが生じる。
本実施形態に係る冷却衣服１は、メッシュ部材１０から一部の冷却風を外側に排出するため、着用者８に生じる違和感を低減させつつ、頭部を冷却することができる。
【００２１】
冷却衣服のフード部に冷却風排出部が設けられておらず、フードの縁部と顔との間の隙間からのみ冷却風が排出される場合、ファンを調整し、冷却風の風量を多くすると、フード部へ流入する冷却風の風量も多くなるため、冷却風の風圧がフード部全体にかかる。そのため、フード部が着用者の頭部から脱げてしまったり、適正な位置からずれてしまったりするおそれがある。
【００２２】
本実施形態の冷却衣服１では、フード部４へ流入した冷却風の一部はメッシュ部材１０を介して外側に排出されるため、フード部４へ流入する冷却風の風量が多くなった場合でも、フード部４が頭部から脱げてしまうことや、適正な位置からずれてしまうことを防止できる。そうすると、着用者８は、作業に集中することができるため、着用者８の作業性が向上する。
【００２３】
また、本実施形態の冷却衣服１は、耳部分にメッシュ部材１０が設けられているため、耳部分を塞がれている場合よりも、冷却衣服１の外側の音を聞き取りやすくなる。
そうすると、騒音や機械音が大きい場所で使用した場合でも、作業者同士の声や物音等を聞き取りやくなり、着用者８の作業性が向上する。
【００２４】
［第二実施形態］
本実施形態に係る冷却衣服について、図５から図１１を参照して説明する。
本実施形態に係る冷却衣服１Ａは、第一実施形態の冷却衣服１の首回りに冷却風排出機構２０が設けられているものである。第一実施形態の冷却衣服１と同様な構成の説明は省略し、冷却風排出機構２０を中心に説明する。
【００２５】
本実施形態の冷却衣服１Ａには、図５に示すように、肩部分、かつ冷却衣服１の幅方向Ｙの中心線Ｌの左側および右側に冷却風排出機構２０がそれぞれ設けられている。この冷却風排出機構２０は、第一冷却風排出機構２１及び第二冷却風排出機構２２を備えている。
【００２６】
第一冷却風排出機構２１は、図６に示すように、幅方向Ｘの中心線Ｌの近傍の裏地に固定された取付部としてのボタン２３と、中心線Ｌから幅方向Ｘに所定の間隔を空けて裏地に固定されたバンド部２４とを有する。
第二冷却風排出機構２２は、第一冷却風排出機構２１と同様に、幅方向Ｘの中心線Ｌ側の裏地に固定された取付部としてのボタン２５と、中心線Ｌから幅方向Ｘに所定の間隔を空けて裏地に固定されたバンド部２６とを有する。
なお、各ボタン２３，２５は、バックネックポイントに設けることが好ましい。バックネックポイントとは、首を前に倒したときに骨が出る位置を示す。
各バンド部２４，２６には、その長手方向に沿って、係合孔２７が複数形成されている。
【００２７】
冷却風排出路２０Ａは、図７に示すように、バンド部２６をボタン２５に係合することにより形成される。具体的には、バンド部２６を引っ張り、ボタン２５を係合孔２７に係合させると、図８に示すように、バンド部２４の固定位置からボタン２３の固定位置までの直線の長さＬ１が、バンド部２４の固定位置からボタン２３までの裏地に沿った長さＬ２よりも短くなる。そうすると、裏地が弛み、冷却風排出路２０Ａが中心線Ｌの片側にのみ形成される。
【００２８】
次に、本実施形態の冷却衣服１Ａの作用効果について説明する。
本実施形態の冷却衣服１Ａは、第一実施形態で述べた作用効果に加え、以下の作用効果が生じる。
【００２９】
本実施形態に係る冷却衣服１Ａは、中心線Ｌの片側にのみ冷却風排出路２０Ａを形成することができ、例えば、第一冷却風排出機構２１によって構成される冷却風排出路２０Ａを形成したとする。そうすると、冷却風は、流路９を通過し、図９に示すように、冷却風排出路２０Ａからフード部４に送出される。そして、この冷却風は、メッシュ部材１０や縁部４Ａと顔との間の隙間から外側に排出される。そのため、着用者８の身体において、冷却風排出路２０Ａが形成されている側（図９上、右側）が集中的に冷却される。
つまり、冷却風排出路２０Ａを冷却衣服の片側にのみ形成することで、この冷却風排出路２０Ａに冷却風を誘導することができ、冷却したい領域を選択することができる。
冷却風の流れる領域を選択できることにより、例えば、着用者８の右側部分に熱源があった場合や、着用者８の右側部分に強い日差しが当たっている場合、着用者の右側部分を集中的に冷却でき、身体を効率的に冷却できる。
【００３０】
また、冷却風排出機構２０は、図１０に示すように、襟元よりも下部分、かつ、中心線Ｌ上に固定された２つのバンド部２４，２６と、中心線Ｌから所定の距離離れた位置に固定された２つの取付部２８，２９とから構成することもできる。なお、バンド部２４，２６の固定位置は、中心線Ｌ上に限定されず、中心線Ｌから幅方向Ｘにずらした位置でもよい。冷却風排出路２０Ａは、図１１に示すように、バンド部２４，２６を取付部２８，２９に係合することで形成することができる。
【００３１】
以上、本実施形態について説明したが、これ以外にも、本発明の主旨を逸脱しない限り、上記実施の形態で挙げた構成を取捨選択したり、他の構成に適宜変更することが可能である。
冷却風排出部として、メッシュ部材を使用したが、冷却風排出部はフード部４の内側と外側とを貫通する貫通孔を有していればメッシュ部材に限定されない。本実施形態では、冷却風排出部を耳部分に設けたが、それ以外の部分、例えば、後頭部に設けることもできる。また、この冷却風排出部を設ける個数は、特に限定されない。
また、フード部４には、外側から冷却風排出部を覆うカバー部材を設けることもできる。カバー部材によって、冷却風排出部を開閉することで、冷却風排出部から排出される冷却風の量を調節することができる。例えば、カバー部材でメッシュ部材１０を完全に覆った場合、全ての冷却風は縁部４Ａと顔との間の隙間から排出されるため、頭部に加え、顔全体を集中的に冷却される。
本実施形態では、フード部４を頭部の上から直接覆った例について説明したが、ヘルメットを被った状態で使用することもできる。
【符号の説明】
【００３２】
１，１Ａ  冷却衣服
２      袖部
３      胴部
４      フード部
４Ａ    縁部（開口部）
５      ボックスプリーツ
６      ファン取付孔
７      ファン
８      着用者
９      流路
１０    メッシュ部材（冷却風排出部）
２０    冷却風排出機構
２０Ａ  冷却風排出路
２１    第一冷却風排出機構
２２    第二冷却風排出機構
２３    ボタン
２４    バンド部
２５    ボタン
２６    バンド部
２７    係合孔
２８    取付部
２９    取付部
Ｌ１，Ｌ２  長さ
Ｘ      幅方向（裾口幅方向）
Ｙ      高さ方向（着丈方向）
【図１】
2019119939.tif 000003
【図２】
2019119939.tif 000004
【図３】
2019119939.tif 000005
【図４】
2019119939.tif 000006
【図５】
2019119939.tif 000007
【図６】
2019119939.tif 000008
【図７】
2019119939.tif 000009
【図８】
2019119939.tif 000010
【図９】
2019119939.tif 000011
【図１０】
2019119939.tif 000012
【図１１】
2019119939.tif 000013
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
外側から空気を取り込む空気取込口、および内側に冷却風を送出する空気送出口を有する風発生手段が装着される取付孔が、胴部の背面に形成された冷却衣服において、
頭部を覆い、メッシュ状の冷却風排出部が両側の耳部全体を覆うように設けられたフード部を備え、
前記冷却風は、前記冷却風排出部を介して、前記フード部の内側から外側に排出される、
ことを特徴する冷却衣服。
【請求項２】
前記冷却風を前記フード部に排出する冷却風排出路を構成する冷却風排出機構が、襟元の下部分であって、裾口幅方向の中心線の両側にそれぞれ設けられ、
前記冷却風排出機構は、係合部が設けられ、一端が前記胴部の裏地に固定されたバンド部と、前記同部の裏地に固定された取付部と、を有し、
前記係合部と前記取付部とを係合させ、
前記バンド部の固定位置から前記取付部の固定位置までの直線の長さを、前記バンド部の固定位置から前記取付部の固定位置までの前記裏地に沿った長さよりも短くすると共に、前記裏地を弛ませることで、一方の前記冷却風排出路を開口させ、
前記冷却風が、一方の前記冷却風排出路を介して、前記フード部に排出される、
ことを特徴とする請求項１に記載の冷却衣服。
【請求項３】
前記胴部から前記フード部にかけて形成された折り畳み部を備え、
前記折り畳み部は、前記胴部及び前記フード部の服地のみから構成され、前記冷却風によって外側に拡がり、前記冷却風を前記フード部に流入させる、
ことを特徴とする請求項１又は請求項２に記載の冷却衣服。
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
外側から空気を取り込む空気取込口、および内側に冷却風を送出する空気送出口を有する風発生手段が装着される取付孔が、胴部の背面に形成された冷却衣服において、
頭部を覆い、メッシュ状の冷却風排出部が両側の耳部を覆うように設けられたフード部を備え、
前記冷却風を前記フード部に排出する冷却風排出路を構成する冷却風排出機構が、襟元の下部分であって、裾口幅方向の中心線の両側にそれぞれ設けられ、
前記冷却風排出機構は、係合部が設けられ、一端が前記胴部の裏地に固定されたバンド部と、前記胴部の裏地に固定された取付部と、を有し、
前記係合部と前記取付部とを係合させ、
前記バンド部の固定位置から前記取付部の固定位置までの直線の長さを、前記バンド部の固定位置から前記取付部の固定位置までの前記裏地に沿った長さよりも短くすると共に、前記裏地を弛ませることで、一方の前記冷却風排出路を開口させ、
前記冷却風は、一方の前記冷却風排出路を介して、前記フード部に排出され、前記冷却風排出部を介して、前記フード部の内側から外側に排出される、
ことを特徴する冷却衣服。
【請求項２】
前記胴部から前記フード部にかけて形成された折り畳み部を備え、
前記折り畳み部は、前記胴部及び前記フード部の服地のみから構成され、前記冷却風によって外側に拡がり、前記冷却風を前記フード部に流入させる、
ことを特徴とする請求項１に記載の冷却衣服。